(57)【特許請求の範囲】
【請求項１】
箱状の本体ケーシング（Ｃ）にポンプ（６）を内装し、そのポンプ（６）への流入路（Ｉ）にストレーナ（２）を備えているポンプ装置の流入路構造において、前記本体ケーシング（Ｃ）と一体にストレーナケーシング（Ｃ１）を設け、そのストレーナケーシング（Ｃ１）には前記流入路（Ｉ）が下側から垂直に形成され、その流入路（Ｉ）に水平に連通されてストレーナ室（１）が形成され、そのストレーナ室（１）からチェック弁（５）を介してポンプの入口側の室（７）に連通されており、そしてストレーナ室（１）には流入路側にストレーナ（２）の端部が係合する座（１ａ）が形成され、他端側は開口され、その開口（１ｂ）からストレーナ（２）が挿入されて開口を閉じる蓋（３）により前記座（１ａ）に押圧密接されており、そしてストレーナ（２）は円筒状で蓋側が端板（２ａ）で閉じられ、座（１ａ）に圧接されている他端側は開口（２ｂ）され、かつその開口（２ｂ）側には全周にわたり堰（２ｃ）が設けられており、そして前記チェック弁（５）は重力式で垂直方向に接離自在に構成され、チェック弁（５）を取り付けるためにストレーナケーシング（Ｃ１）に開口（２４）が設けられて蓋（２５）により常時閉塞されていることを特徴とするポンプ装置の流入路構造。
【発明の詳細な説明】
【０００１】
【産業上の利用分野】
本発明は、ガソリンスタンド等の給油所に設置される計量機用のポンプ装置の流入路構造に関する。
【０００２】
【従来の技術】
一般に計量機に用いられるポンプ装置は、ボックス状のケーシングを備え、流入路からケーシング内に流入した油はポンプで加圧され、気液分離装置で分離された気体を含まない油は流出口から流出し、他方気体を含む気液混合液はフロート室に送られ、気体はエアベントから放出され、液体はポンプに戻されるようになっている（例えば実公昭６１−１５２６５号公報参照）。
【０００３】
かかるポンプ装置の流入路には油中の異物を捕捉するためにストレーナが設けられている。このストレーナは異物がたまると、取り外して清掃するので、着脱可能に設けられている。
【０００４】
しかしながら、例えば前記公報に開示されている公知技術ではストレーナの取付けにばねを必要とし、取付作業が面倒である。またストレーナの清掃時にケーシング内の油が流出するのを防止するために、ストレーナの下流側にはチェック弁が設けられているが、このチェック弁も公知技術では水平に設けられていて、ばね作動で閉じるようになっているので、構造が複雑である。
【０００５】
さらに、本出願人に係る特公平５−５０５９３号公報に記載されている技術では、チェック弁がストレーナの上流側に設けられているために、ストレーナの清掃時にケーシング内の多量の油を排出しなければならない。
【０００６】
【発明が解決しようとする課題】
本発明はストレーナの取り付けが容易で、清掃時の油流出量を最小限にできるポンプ装置の流入路構造を提供することを目的としている。
【０００７】
【課題を解決するための手段】
本発明によれば、箱状の本体ケーシング（Ｃ）にポンプ（６）を内装し、そのポンプ（６）への流入路（Ｉ）にストレーナ（２）を備えているポンプ装置の流入路構造において、前記本体ケーシング（Ｃ）と一体にストレーナケーシング（Ｃ１）を設け、そのストレーナケーシング（Ｃ１）には前記流入路（Ｉ）が下側から垂直に形成され、その流入路（Ｉ）に水平に連通されてストレーナ室（１）が形成され、そのストレーナ室（１）からチェック弁（５）を介してポンプの入口側の室（７）に連通されており、そしてストレーナ室（１）には流入路側にストレーナ（２）の端部が係合する座（１ａ）が形成され、他端側は開口され、その開口（１ｂ）からストレーナ（２）が挿入されて開口を閉じる蓋（３）により前記座（１ａ）に押圧密接されており、そしてストレーナ（２）は円筒状で蓋側が端板（２ａ）で閉じられ、座（１ａ）に圧接されている他端側は開口（２ｂ）され、かつその開口（２ｂ）側には全周にわたり堰（２ｃ）が設けられており、そして前記チェック弁（５）は重力式で垂直方向に接離自在に構成され、チェック弁（５）を取り付けるためにストレーナケーシング（Ｃ１）に開口（２４）が設けられて蓋（２５）により常時閉塞されている。
【００１０】
【作用】
したがって、ケーシングの流入路に流入した油は、ストレーナケーシングの内側のストレーナ室に入り、半径方向外方に流れ、そしてチェック弁をその自重に抗して押し上げてポンプの入口側の室に流入する。
【００１１】
清掃に際して、蓋をゆるめて、シール性が失われたときに、ストレーナ室内の油は流入路より地下タンク側へ流出し、蓋を外したときに流出する油は少量であり、その処置は容易に行うことができる。そしてストレーナを取り出して清掃し、その後にストレーナを挿入して蓋を閉じればよい。
【００１２】
したがってストレーナを単に挿入して蓋を閉じるだけでよく、ばね等で保持する必要もないので、取付けが簡単であり、清掃作業が楽である。
【００１３】
またチェック弁も自重により閉じる形式のものを用いているので、構造も簡単となる。
【００１４】
さらにストレーナを円筒状とし開放側端部に堰を設けることにより、捕捉された異物を堰に引掛けて地下タンク側へ流出するのを防止できる。
【００１５】
【実施例】
以下図面を参照して本発明の実施例を説明する。
【００１６】
図１において、本発明を実施した計量機用ポンプ装置は箱状の本体ケーシングＣと、この本体ケーシングＣに一体に構成されたストレーナケーシングＣ１とを備え、そのストレーナケーシングＣ１には流入路Ｉが、本体ケーシングＣには流出路Ｏがそれぞれ形成されている。この流入路Ｉはストレーナ室１に連通しており、そのストレーナ室１には、ストレーナ２が収められ、ストレーナ室はチェック弁５を介してポンプ６の入口側の室７に連通している。そのポンプ６の出口側の室８は全体を符号９で示す気液分離装置に連通している。
【００１７】
この気液分離装置９は図示の例では本出願人に係る特開平５−１９３６９７号公報に記載されたものが用いられており、渦巻室１０と筒状部材１１と旋回止め部材１２とその筒状部材１１に対して旋回止め部材１２の反対側に設けた気液混合流通路１３とよりなるものである。この気液分離装置９は前記公報に記載した通り、渦巻室１０で生じた旋回流は筒状部材１１を旋回しながら旋回止め部材１２の方に流れるが、比較的に軽い気液混合流は渦巻室１０および筒状部材１１の中心に集まり、気液混合流路１３から流出するようになっている。
【００１８】
筒状部材１１の半径方向の外方にはストレーナ１４が設けられている。このストレーナ１４はケーシングＣの外側に取付けた蓋体１５によりばね１６および前記旋回止め部材１２を介して位置決めされている。
【００１９】
ストレーナ１４の半径方向外方の室１７にはその上部においてコントロール弁１８を介して流出口Ｏと連通しており、その下部においてバイパス弁１９を介してポンプ６の入口側の室７と連通している。
【００２０】
前記気液混合流通路１３は通路２０を介してフロート室２１と連通しており、このフロート室２１にはフロート弁２２が設けられている。このフロート弁２２はフロート室２１内にレベルＬまで油が溜まると開くようになっている。したがって、レベルＬより上方にエアベントＶが設けられている。このフロート室２１の出口流路２３はストレーナ室１と連通している。
【００２１】
そして前記のチェック弁５は重力式であり、このチェック弁５を取付けるためにストレーナケーシングＣ１に開口２４が開けられており、その開口２４は常時蓋２５で閉塞されている。
【００２２】
図２及び図３において、流入路ＩはストレーナケーシングＣ１の下側から垂直に形成され、ストレーナ室１は流入路Ｉに水平に連通されている。そのストレーナ室１の流入路Ｉ側には、ストレーナ２の端部に係合する座１ａが形成され、他端側には、開口１ｂが形成されている。この開口１ｂを閉じる蓋３が設けられ、ストレーナ２は開口１ｂからストレーナ室１に挿入され、蓋３により端部が座１ａに押圧され密接されている。
【００２３】
図４において、ストレーナ２は、円筒形で蓋３側が端板２ａで閉じられ、座１ａに着座する側に開口２ｂが形成されている。そして、開口２ｂ側には、全周にわたり異物流出防止用の堰２ｃが形成されている。
【００２４】
次に主として図５を参照して作動を説明する。
【００２５】
図示しない地下タンクからの油は図示しない給油管を通って流入路Ｉに流入し、そしてストレーナ２でゴミ等が除去されてストレーナ室１からチェック弁５を通ってポンプ６の入口側の室７に流れてポンプ６に吸込まれる。ポンプ６で加圧された油は出口側の室８から気液分離装置９の渦巻室１０に流入して旋回流を生じ、比較的に軽い気液混合流は気液通路１３から通路２０を介してフロート室２１に流れる。
【００２６】
気体を含まない油はストレーナ１４を通ってコントロール弁１８を押し開いて流出路Ｏに流れ、図示しない給油ノズルから給油される。
【００２７】
ポンプ６は作動しているが、給油されない場合、ポンプ６からの油はバイパス弁１９を通って入口側の室７に戻されて循環する。
【００２８】
フロート室２１に流入した気液混合液はここで気液が分離され、気体すなわちベーパーはエアベントＶから大気に放出される。そしてフロート室２１内の一定量の油が溜まるとフロート弁２２が開いて、フロート室内の油は通路２３からストレーナ２を介して流入路Ｉから地下タンクに戻される。なおポンプ６の作動中であればポンプ６に吸込まれる。
【００２９】
このように、フロート弁２２が開くとフロート室２１内の油はストレーナ２を通って地下タンクに流出できるので、計量機の不使用時にウォータハンマによりフロート室２１に油がフロート弁２２から逆流しても直に流出できフロート室２１が油で充満することがない。
【００３０】
ストレーナ２は、ストレーナ室１に挿入して蓋３を閉じるだけで、開口２ｂを座１ａに密接させて簡単に取付けることができる。
【００３１】
また、ストレーナ２が異物で目詰まりした際は、蓋３を外しストレーナ２を取り出して行う。その際、蓋３をゆるめてシール性が失われた時点で、ストレーナ室１の流路はチェック弁５及びフロート弁２２で閉塞されているので、ストレーナ室１の油が地下タンクに流出し、蓋３を外したときの油の流出量は最小限に抑えられる。
【００３２】
【発明の効果】
以上の通り本発明によれば下記のすぐれた効果を奏する。
【００３３】
（１）  蓋を開けてストレーナを取出し、そしてストレーナを挿入して蓋を閉じればよいので、清掃時のストレーナの着脱が容易である。
【００３４】
（２）  ストレーナの下流側にチェック弁があるので、蓋をゆるめたときにストレーナ室の油は地下タンクへ流出し、蓋を外したときにはほとんど油が残らないので油の処理が容易である。
【００３５】
（３）  チェック弁も自重による重力式であるから構造が簡単で設置も容易である。
【００３６】
（４）  ストレーナを円筒状とし、堰を設けることにより異物を引掛けて地下タンク側へ流出を防止できる。
【図面の簡単な説明】
【図１】本発明を実施した計量機用ポンプ装置を示す側断面図。
【図２】本発明の一実施例を示す側断面図。
【図３】図２のＸ−Ｘ矢視断面図。
【図４】ストレーナを示す側断面図。
【図５】本発明を実施した計量機用ポンプ装置の流れを示す模式図。
【符号の説明】
Ｉ・・・流入路
Ｏ・・・流出路
Ｃ・・・本体ケーシング
Ｃ１・・・ストレーナケーシング
１・・・ストレーナ室
１ａ・・・座
２・・・ストレーナ
２ａ・・・端板
２ｂ・・・開口
２ｃ・・・堰
３・・・蓋
５・・・チェック弁
６・・・ポンプ
７・・・入口側の室
８・・・出口側の室
９・・・気液分離装置
１４・・・ストレーナ
１７・・・室
１８・・・コントロール弁
１９・・・バイパス弁
２０・・・通路
２１・・・フロート室
２２・・・フロート弁
２３・・・出口流路
２４・・・開口
２５・・・蓋
【図１】
0003644550.tif 000002
【図２】
0003644550.tif 000003
【図３】
0003644550.tif 000004
【図４】
0003644550.tif 000005
【図５】
0003644550.tif 000006